(57)【特許請求の範囲】
【請求項１】
直方体形状の外箱本体の内部に電解槽に供給される濃塩水を貯える濃塩水タンクを適宜な高さ位置に配置して同濃塩水タンクの上端開口の周縁部に同タンクの前部上方を前方のみを開放して覆蓋するフロントカバーの下端周縁部を当接させて組付けた電解水生成装置において、
前記濃塩水タンクの前部上方を覆蓋するフロントカバーの前方開口に対向して位置する前記外箱本体の側面に塩の投入口を設けて、該投入口の内側周縁部がその内端にて前記フロントカバーの前方開口の周縁部に密着するように構成し、前記フロントカバーの前方開口を開閉する開閉蓋を前記投入口の両側壁にその上部を外方へ開放可能に組付けて、同開閉蓋を閉じたときその下端部が前記濃塩水タンクの前方上縁部の上面に当接して同前方上縁部を覆うようしたことを特徴とする濃塩水タンクの組付け構造。
【請求項２】
直方体形状の外箱本体の内部に電解槽に供給される濃塩水を貯える濃塩水タンクを適宜な高さ位置に配置して同濃塩水タンクの上端開口の周縁部に同タンクの前部上方を前方のみを開放して覆蓋するフロントカバーの下端周縁部を当接させて組付け、同フロントカバーの前方開口に対向して位置する前記外箱本体の前面側に横開きの開閉扉を設けた電解水生成装置において、
前記濃塩水タンクの前部上方を覆蓋するフロントカバーの前方開口に対向して位置する前記外箱本体の開閉扉に塩の投入口を設けて、該投入口の内側周縁部がその内端にて前記フロントカバーの前方開口の周縁部に密着するように構成し、前記フロントカバーの前方開口を開閉する開閉蓋を前記投入口の両側壁にその上部を外方へ開放可能に組付けて、同開閉蓋を閉じたときその下端部が前記濃塩水タンクの前方上縁部の上面に当接して同前方上縁部を覆うようしたことを特徴とする濃塩水タンクの組付け構造。
【発明の詳細な説明】
【０００１】
【発明の属する技術分野】
本発明は、開閉蓋によって開閉される開口を通して内部に塩を投入可能で、投入された塩と給水源から給水される原水とにより濃塩水を生成して、この濃塩水を電解槽に供給可能な電解水生成装置の濃塩水タンクに関する。
【０００２】
【従来の技術】
この種の濃塩水タンクは、例えば、実開平７−５９２号公報に示されていて、この濃塩水タンクは、電解水生成装置の外箱上面の開口を覆うトップパネルに一体的に設けられている。このため、塩の投入時における水の飛沫や塩が外箱内に侵入することを防止でき、外箱内に配設された部品に錆が発生したり電気部品が故障したりすることを防止できるようになっている。
【０００３】
【発明が解決しようとする課題】
ところで、上記した公報の濃塩水タンクは、トップパネルに一体的に設けられていて、塩の投入口が電解水生成装置の上部に配設されるものであるため、電解水生成装置が大型化した場合には、塩の投入作業が困難になってしまう。
【０００４】
【課題を解決するための手段】
本発明は、上記の問題に対処するため、直方体形状の外箱本体の内部に電解槽に供給される濃塩水を貯える濃塩水タンクを適宜な高さ位置に配置して同濃塩水タンクの上端開口の周縁部に同タンクの前部上方を前方のみを開放して覆蓋するフロントカバーの下端周縁部を当接させて組付けた電解水生成装置において、前記濃塩水タンクの前部上方を覆蓋するフロントカバーの前方開口に対向して位置する前記外箱本体の側面に塩の投入口を設けて、該投入口の内側周縁部がその内端にて前記フロントカバーの前方開口の周縁部に密着するように構成し、前記フロントカバーの前方開口を開閉する開閉蓋を前記投入口の両側壁にその上部を外方へ開放可能に組付けて、同開閉蓋を閉じたときその下端部が前記濃塩水タンクの前方上縁部の上面に当接して同前方上縁部を覆うようしたことを特徴とする濃塩水タンクの組付け構造を案出したものである。
【０００５】
【発明の作用・効果】
上記した電解水生成装置における濃塩水タンクの組付け構造においては、前記濃塩水タンクの開閉蓋を閉じたときその下端部が同濃塩水タンクの前方上縁部の上面に当接して覆うようしたことにより、前記開閉蓋を開けて塩の投入作業を行う際に、塩の投入によって生じる水の飛沫や塩が外箱内に侵入することはなく、外箱内に配設された部品に錆が発生したり電気部品が故障したりすることを防止できる。ところで、当該濃塩水タンクの開口と開閉蓋の構成は、同濃塩水タンクの上方であれば外箱の一側面のどの部位にでも実施可能であるため、電解水生成装置の大きさにかかわらず塩の投入作業の作業性を考慮して同タンクの開口と開閉蓋の配設位置を定めることができて、塩の投入を容易に行うことができる。
【０００６】
本発明の一実施形態においては、直方体形状の外箱本体の内部に電解槽に供給される濃塩水を貯える濃塩水タンクを適宜な高さ位置に配置して同濃塩水タンクの上端開口の周縁部に同タンクの前部上方を前方のみを開放して覆蓋するフロントカバーの下端周縁部を当接させて組付け、同フロントカバーの前方開口に対向して位置する前記外箱本体の前面側に横開きの開閉扉を設けた電解水生成装置において、前記濃塩水タンクの前部上方を覆蓋するフロントカバーの前方開口に対向して位置する前記外箱本体の開閉扉に塩の投入口を設けて、該投入口の内側周縁部がその内端にて前記フロントカバーの前方開口の周縁部に密着するように構成し、前記フロントカバーの前方開口を開閉する開閉蓋を前記投入口の両側壁にその上部を外方へ開放可能に組付けて、同開閉蓋を閉じたときその下端部が前記濃塩水タンクの前方上縁部の上面に当接して同前方上縁部を覆うようしたことを特徴とする濃塩水タンクの組付け構造が採用される。  この実施形態においては、外箱本体の開閉扉を閉じた状態にて濃塩水タンクの開閉蓋を開けて塩の投入作業を行えば、塩の投入によって生じる水の飛沫や塩が外箱内に侵入することはなく、外箱本体の内部に配設された部品に錆が発生したり電気部品が故障したりすることを防止できる。ところで、当該濃塩水タンクの開口と開閉蓋の構成は、同濃塩水タンクの上方であれば開閉扉のどの部位にでも実施可能であるため、電解水生成装置の大きさに左右されないで塩の投入作業の作業性を考慮して濃塩水タンクの開口と開閉蓋の配設位置を定めることができて、塩の投入を容易に行うことができる。また、濃塩水タンクの開閉蓋が設けられる投入口は外箱本体の前面に組付けた開閉扉に設けられるものであるため、塩の投入作業の作業性が一層良好になるとともに、開閉扉を開けることによって外箱本体の内部に配設された部品のメンテナンスを容易に行うことができる。
【０００７】
以下に、本発明の一実施形態を図面に基づいて説明する。図１及び図２は本発明による濃塩水タンク３０の組付け構造を採用した電解水生成装置を示していて、この電解水生成装置は、ベース１０と、同ベース１０上に脱着可能に組付けた電解水生成装置本体Ａ、酸性水タンク４０及びアルカリ性水タンク５０を備えている。
【０００８】
ベース１０は、平面視にて横長長方形の平板状基台１１と同基台１１の底面に組み付けられた４本の脚１２によって構成されていて、基台１１の左方上面には前後一対のブラケット１４が設けられるとともに右方上面には前後一対のブラケット１５が設けられている。
【０００９】
電解水生成装置本体Ａは、縦長の直方体形状をした外箱２０内にそれ自体周知の電解槽（図示省略）と、電装部品を収容する電装箱（図示省略）と、濃塩水タンク３０等を組み付けてなるもので、外箱２０底面にて基台１１の下方から脱着される前後左右４本のボルト１３を用いて基台１１の中央部に脱着可能に組付けられている。
【００１０】
外箱２０は、前面が開口した外箱本体２１と、同開口を開閉する右開きの開閉扉２２で構成されている。開閉扉２２は、ヒンジ２３により外箱本体２１に組付けられていて、扉本体２２ａと、扉本体２２ａの中央上部に組み付けた取付板２２ｂと、取付板２２ｂに組み付けた開閉蓋２２ｃによって構成されている。取付板２２ｂは、図２に示したように、開閉扉２２の閉止状態にて濃塩水タンク３０の開口Ｂの周縁部に密着するようになっている。開閉蓋２２ｃは、濃塩水タンク３０の開口Ｂに対応して設けた取付板２２ｂの投入口２２ｂ１に、下端にてピン２２ｄを用いて回動可能に取り付けられていて、この開閉蓋２２ｃを開けることにより投入口２２ｂ１と開口Ｂを通して濃塩水タンク３０に塩が投入可能とされている。
【００１１】
濃塩水タンク３０は、電解槽に供給する濃塩水を生成・貯溜するためのもので、図２〜図４に詳細に示したように、上部が開口したタンク本体３１と、タンク本体３１の開口を覆うリヤカバー３２及びフロントカバー３３と、オーバーフロー管３４等から構成されている。
【００１２】
タンク本体３１は、外箱２０内に設けたフレーム２４上に組み付けられていて、内部を仕切板３１ａによって前方の第１収容室Ｒ１と後方の第２収容室Ｒ２に区画されており、第１収容室Ｒ１と第２収容室Ｒ２は下部にて連通している。仕切板３１ａは、断面Ｌ字形状をしており、縦壁３１ａ１にてタンク本体３１を区画するとともに、縦壁３１ａ１及び横壁３１ａ２の端面にてタンク本体３１に接着固定されている。
【００１３】
第１収容室Ｒ１は、濃塩水を生成する室であり、その下部には塩収容ネットＳが４個の取付板７１を介してネジ７２によって取り付けられるとともに、同塩収容ネットＳの上方には給水管３５（図示省略の水道管に接続されている）が配設されていて、塩収容ネットＳに収容される塩と給水管３５から供給される水道水とにより略飽和状態の濃塩水が生成されるようになっている。塩収容ネットＳは、タンク本体３１の開口よりも所定量下方に取り付けられていて、塩収容ネットＳが乾燥して塩が析出したとしても、この塩がタンク本体３１の開口から外に漏れないようになっている。
【００１４】
第２収容室Ｒ２は、第１収容室Ｒ１にて生成された濃塩水を貯溜する室であり、オーバーフロー管３４、濃塩水供給ホース３６、エア抜き用ホース３７及び濃塩水供給管３８が配設されていて、濃塩水供給ポンプ（ダイヤフラム式の定量ポンプであって図示省略）の駆動によって濃塩水供給ホース３６を通して第２収容室Ｒ２内の濃塩水が電解槽に向けて供給されるようになっている。オーバーフロー管３４は、第２収容室Ｒ２内の余剰濃塩水をオーバーフロー排出するもので、タンク本体３１の上限水位よりも所定量上方にて開口している。濃塩水供給ホース３６は、その一端がタンク本体３１内の下部に開口するとともに、他端が上記した濃塩水供給ポンプの吸入側に接続されている。エア抜き用ホース３７は、上記した濃塩水供給ポンプ内に混入・残留したエアを抜くためのものであり、一端がタンク本体３１内の下部に開口するとともに、他端が濃塩水供給ポンプの吐出側に吐出流路切換コックを介して接続されていて、当該電解水生成装置の設置時あるいは濃塩水供給ポンプのエア混入・残留による吐出異常確認時に、エア抜き用ホース３７が吐出流路となるように上記切換コックを切り換えて濃塩水供給ポンプを駆動することにより、同ポンプから気泡状態のエアを含んだ濃塩水がタンク本体３１内に排出されるようになっている。濃塩水供給管３８は、軟水器（図示省略）の再生時に濃塩水を同軟水器に向けて供給するもので、軟水器に供給される原水（水道水）の水流による吸引負圧によって濃塩水が軟水器に供給されるようになっている。
【００１５】
リヤカバー３２は、タンク本体３１の第２収容室Ｒ２上部を覆う平板であり、３個のネジ（図示省略）にてタンク本体３１の上端開口フランジ部３１ｂと仕切板３１ａの横壁３１ａ２に固定されるようになっている。一方、フロントカバー３３は、前方と下方が開口していて、タンク本体３１の第１収容室Ｒ１上方を覆うようになっており、６個のネジ（図示省略）にてタンク本体３１の上端開口フランジ部３１ｂと仕切板３１ａの横壁３１ａ２に固定されるようになっている。このため、フロントカバー３３とタンク本体３１によって濃塩水タンク３０の開口Ｂが形成されていて、開閉扉２２の閉止状態においては、フロントカバー３３の前方開口周縁に設けられたコ字状のフランジ部３３ａが取付板２２ｂの開口端面に当接し、タンク本体３１の上端開口フランジ部３１ｂの前方端面が取付板２２ｂに取り付けられたパッキンＭに当接するようになっている。なお、フロントカバー３３の上壁には、電解槽で生成された酸性水とアルカリ性水を取り出す各取出管（図示省略）が挿入される２個のグロメット３７が組み付けられていて、各取出管にはｐＨチェック時のみ酸性水とアルカリ性水が流れるようになっている。
【００１６】
酸性水タンク４０は、電解槽にて生成された酸性水を貯溜するためのもので、略直方体形状をしており、基台１１に設けられた前後一対のブラケット１４に上方から係合して位置決め固定されるとともに、上部前後２カ所にてボルト６１を用いて外箱２０に固定されるようになっている。
【００１７】
アルカリ性水タンク５０は、電解槽にて生成されたアルカリ性水を貯溜するためのもので、略直方体形状をしており、基台１１に設けられた前後一対のブラケット１５に上方から係合して位置決め固定されるとともに、上部前後２カ所にてボルト６２を用いて外箱２０に固定されるようになっている。
【００１８】
上記のように構成した本実施形態においては、開閉扉２２内側に濃塩水タンク３０の開口Ｂの周縁部が密着する（すなわち、フロントカバー３３のフランジ部３３ａが取付板２２ｂの開口端面に当接し、タンク本体３１の上端開口フランジ部３１ｂの前方端面が取付板２２ｂに取り付けられたパッキンＭに当接する）ように構成するとともに、開閉扉２２の取付板２２ｂにおける濃塩水タンク３０の開口Ｂに対応した部位に投入口２２ｂ１を設けて、同投入口２２ｂ１に開閉蓋２２ｃを設けたため、開閉扉２２を閉じた状態にて開閉蓋２２ｃを開けて塩の投入作業を行えば、塩の投入によって生じる水の飛沫や塩が外箱２０内に侵入することはなく、外箱２０内に配設された部品に錆が発生したり電気部品が故障したりすることを防止できる。ところで、濃塩水タンク３０の開口Ｂと開閉蓋２２ｃの構成は、濃塩水タンク３０の上方であれば開閉扉２２のどの部位にでも実施可能であるため、電解水生成装置の大きさにかかわらず塩の投入作業の作業性を考慮して濃塩水タンク３０の開口Ｂと開閉蓋２２ｃの配設位置を定めることができて、塩の投入を容易に行うことができる。また、開閉扉２２が外箱本体２１の前面に組み付けられるものであるため、開閉蓋２２ｃも外箱２０の前面に位置していて塩の投入作業の作業性が一層良好になるとともに、開閉扉２２を開けることによって外箱２０内に配設された部品のメンテナンスを容易に行うことができる。
【００１９】
上記実施形態においては、外箱本体２１の前面開口を開閉する開閉扉２２の取付板２２ｂに投入口２２ｂ１と開閉蓋２２ｃを設けたが、当該電解水生成装置の左右又は後方に作業空間が確保できる場合には、外箱本体２１の左右各側壁又は後方の側壁に投入口と開閉蓋を設けて実施することも可能である。
【図面の簡単な説明】
【図１】本発明による濃塩水タンクを実施した電解水生成装置の正面図である。
【図２】図１の２−２線に沿った断面図である。
【図３】図２に示した濃塩水タンクの正面図である。
【図４】図２及び図３に示したタンク本体の平面図である。
【符号の説明】
２０…外箱、２１…外箱本体、２２…開閉扉、２２ｂ１…投入口、２２ｃ…開閉蓋、３０…濃塩水タンク、Ｂ…濃塩水タンクの開口。
【図１】
0003579608.tif 000002
【図２】
0003579608.tif 000003
【図３】
0003579608.tif 000004
【図４】
0003579608.tif 000005